(57)【要約】【課題】給気フィルタの目詰まりの報知を精度よく行うことができる換気装置を提供すること。【解決手段】初期設定処理では、所定時間Ｔ毎に給気風量が一定となるように調整された給気モータ１０の電流及び／又は回転数が安定してから初期値記憶部２１を記憶し（Ｓ１５）、その記憶された複数の前記電流及び／又は回転数を平均して得られた値を、給気モータ１０の電流及び／又は回転数の初期値として記憶する（Ｓ１７）。そして、給気モータ１０の現在の電流及び／又は回転数と初期値記憶部２１に記憶された電流及び／又は回転数の初期値との差が所定値以上となる場合に、給気フィルタ１５が目詰まりである旨の報知を行う。【選択図】図３
2019090593.tif 000002
【特許請求の範囲】
【請求項１】
室外側吸込口と室内側吹出口と室内側吸込口と室外側吹出口とを有する筐体と、
前記室外側吸込口と前記室内側吹出口とを連通する給気風路と、
前記室内側吸込口と前記室外側吹出口とを連通する排気風路と、
前記室内側吸込口から前記室外側吹出口へ空気を導く排気ファンと、
前記室外側吸込口から前記室内側吹出口へ空気を導く給気ファンと、
前記排気ファンを駆動する排気モータと、
前記給気ファンを駆動する給気モータと、
前記室外側吸込口に設けられた給気フィルタと、
制御部と、を備えた換気装置であって、
前記制御部は、
前記排気モータ及び給気モータの電流及び／又は回転数を風量が一定となるように調整するモータ駆動制御部と、
前記モータ駆動制御部により初期に風量が一定となるように調整された前記給気モータの電流及び／又は回転数を初期値として記憶する初期値記憶部と、
前記モータ駆動制御部により再度風量が一定となるように調整された前記給気モータの電流及び／又は回転数と前記初期値記憶部に記憶された前記電流及び／又は回転数の初期値との差を判定する判定部と、
前記判定部により判定された差が所定値以上となる場合に、前記給気フィルタが目詰まりである旨の報知を報知部により行わせる報知制御部と、を備え、
前記初期値記憶部は、
初期の所定期間中に、所定時間毎に前記モータ駆動制御部により風量が一定となるように調整された前記給気モータの電流及び／又は回転数を安定するまで待って記憶し、その記憶された複数の前記電流及び／又は回転数を平均して得られた値を前記初期値として記憶することを特徴とする換気装置。
【請求項２】
前記給気フィルタのメンテナンスが完了した旨の入力を受け付ける完了入力受付部を備え、
前記制御部は、
前記完了入力受付部により前記入力が受け付けられた場合に初期状態への移行を判断し、前記初期値記憶部による前記初期値の記憶を行うことを特徴とする請求項１記載の換気装置。
【請求項３】
前記制御部は、
前記初期値記憶部により前記初期値が記憶されていない場合に初期状態への移行を判断し、前記初期値記憶部による前記初期値の記憶を行うことを特徴とする請求項１又は２記載の換気装置。
【請求項４】
前記初期値記憶部は、
初期の所定期間中に、所定時間毎に前記モータ駆動制御部により風量が一定となるように調整された前記給気モータの電流及び／又は回転数と前記排気モータの電流及び／又は回転数とを安定するまで待って記憶し、その記憶された複数の前記給気モータの前記電流及び／又は回転数を平均して得られた値を給気モータ初期値として記憶し、複数の前記排気モータの前記電流及び／又は回転数を平均して得られた値を排気モータ初期値として記憶し、
前記判定部は、
前記モータ駆動制御部により再度風量が一定となるように調整された前記給気モータの電流及び／又は回転数と前記初期値記憶部に記憶された前記給気モータ初期値との差を判定するものであり、
前記制御部は、
前記モータ駆動制御部により再度風量が一定となるように調整された前記排気モータの電流及び／又は回転数と前記初期値記憶部に記憶された前記排気モータ初期値とが等しいかを判定する第２判定部を備え、
前記報知部は、
前記判定部により判定された差が所定値以上であり、前記第２判定部により判定された差が等しい場合に、前記給気フィルタが目詰まりである旨の報知を行うことを特徴とする請求項１から３のいずれかに記載の換気装置。
【請求項５】
前記給気風路を通過する空気と前記排気風路を通過する空気との間で熱交換する熱交換部を備えた請求項１から４のいずれかに記載の換気装置。
【発明の詳細な説明】
【技術分野】
【０００１】
本発明は、室内空気を屋外へ排出し、屋外空気を室内へ供給して室内の換気を行う換気装置に関する。
【背景技術】
【０００２】
従来、この種の換気装置として、野外空気を取り込む室外側吹出口に給気フィルタを設け、野外空気に含まれるごみや砂塵、埃、虫等を取り除く換気装置が知られている（例えば、特許文献１）。ところが、長期間にわたり使用していると、給気フィルタが目詰まりする。給気フィルタが目詰まりすると、所定の給気風量を確保するために給気ファンを駆動する給気モータの消費電力が急増するおそれがあった。更には、給気風量が低下して換気装置の性能が得られなくなるおそれもあった。しかしながら、使用者は、給気フィルタが目詰まりしていることに気づきにくい。
【０００３】
特許文献１に記載の換気装置では、そのような課題を解決するために、初期段階において風量が一定となるように調整された給気モータの電流及び／又は回転数の初期値を記憶している。そして、再度風量が一定となるように調整された給気モータの電流及び／又は回転数と、記憶された電流及び／又は回転数の初期値との差が所定値以上であった場合に、給気フィルタが目詰まりである旨の報知を行う。
【先行技術文献】
【特許文献】
【０００４】
【特許文献１】特開２０１４−１０５９２７号公報
【発明の概要】
【発明が解決しようとする課題】
【０００５】
しかしながら、特許文献１の換気装置では、初期段階で風量が一定となるように給気モータの電流及び／又は回転数が調整されるときに、屋外で強い風が吹いていたり、室内でのドアの開閉が行われていたりして、偶発的にダクト内の静圧が大きく変化している場合も生じ得る。そのような場合、記憶される給気モータの電流及び／又は回転数の初期値が、本来初期段階で調整され得る給気モータの電流及び／又は回転数と大きくずれ、結果として、給気フィルタの目詰まりの報知を正しく行うことができないおそれがあるという問題点があった。
【０００６】
本発明は、上記課題を解決するためになされたものであり、給気フィルタの目詰まりの報知を精度よく行うことができる換気装置を提供することを目的とする。
【課題を解決するための手段】
【０００７】
この目的を達成するために、本発明の換気装置は、室外側吸込口と室内側吹出口と室内側吸込口と室外側吹出口とを有する筐体と、前記室外側吸込口と前記室内側吹出口とを連通する給気風路と、前記室内側吸込口と前記室外側吹出口とを連通する排気風路と、前記室内側吸込口から前記室外側吹出口へ空気を導く排気ファンと、前記室外側吸込口から前記室内側吹出口へ空気を導く給気ファンと、前記排気ファンを駆動する排気モータと、前記給気ファンを駆動する給気モータと、前記室外側吸込口に設けられた給気フィルタと、制御部と、を備えたものであって、前記制御部は、前記排気モータ及び給気モータの電流及び／又は回転数を風量が一定となるように調整するモータ駆動制御部と、前記モータ駆動制御部により初期に風量が一定となるように調整された前記給気モータの電流及び／又は回転数を初期値として記憶する初期値記憶部と、前記モータ駆動制御部により再度風量が一定となるように調整された前記給気モータの電流及び／又は回転数と前記初期値記憶部に記憶された前記電流及び／又は回転数の初期値との差を判定する判定部と、前記判定部により判定された差が所定値以上となる場合に、前記給気フィルタが目詰まりである旨の報知を報知部により行わせる報知制御部と、を備え、前記初期値記憶部は、初期の所定期間中に、所定時間毎に前記モータ駆動制御部により風量が一定となるように調整された前記給気モータの電流及び／又は回転数を安定するまで待って記憶し、その記憶された複数の前記電流及び／又は回転数を平均して得られた値を前記初期値として記憶する。
【発明の効果】
【０００８】
本発明の換気装置によれば、初期値記憶部によって、初期の所定期間中に、所定時間毎にモータ駆動制御部により風量が一定となるように調整された給気モータの電流及び／又は回転数が安定してから記憶され、その記憶された複数の前記電流及び／又は回転数を平均して得られた値が、電流及び／又は回転数の初期値として記憶される。そして、モータ駆動制御部により再度風量が一定となるように調整された給気モータの電流及び／又は回転数と初期値記憶部に記憶された電流及び／又は回転数の初期値との差が判定部により判定される。この判定部により判定された差が所定値以上となる場合に、給気フィルタが目詰まりである旨の報知が報知部により行われる。これにより、給気フィルタの目詰まりの報知を精度よく行うことができる、という効果を得ることができる。
【図面の簡単な説明】
【０００９】
【図１】本発明の第１実施形態に係る給排型換気装置を概略的に示す概略図である。
【図２】制御部にて実行される目詰まり判定処理を示すフローチャートである。
【図３】図２の目詰まり判定処理の一処理である初期値設定処理を示すフローチャートである。
【図４】給気ファンのＰ−Ｑ曲線と、給気ファンについて風量一定制御を行った場合の給気モータの電流及び／又は回転量の様子を示した図である。
【図５】本発明の第２実施形態に係る給排型換気装置の制御部にて実行される目詰まり判定処理を示すフローチャートである。
【図６】図５の目詰まり判定処理の一処理である初期値設定処理を示すフローチャートである。
【図７】給気ファン及び排気ファンのＰ−Ｑ曲線と、給気ファンについて風量一定制御を行った場合の給気モータの電流及び／又は回転量の様子と、排気ファンについて風量一定制御を行った場合の排気モータの電流及び／又は回転量の様子とを示した図である。
【発明を実施するための形態】
【００１０】
以下、本発明を実施するための形態について添付図面を参照して説明する。
【００１１】
（第１実施形態）
まず、図１を参照して、本発明の第１実施形態に係る給排型換気装置１について説明する。図１は、給排型換気装置１を概略的に示す概略図である。給排型換気装置１は、箱形の筐体（本体）２の側面に室外側吹出口４及び室外側吸込口５を有し、また、この側面に対向した側面に室内側吸込口６及び室内側吹出口７を設けている。
【００１２】
また、給排型換気装置１は、室外側吸込口５と室内側吹出口７とを連通する給気風路８と、室内側吸込口６と室外側吹出口４とを連通する排気風路９とを備えている。室外側吸込口５から導入される新鮮な屋外空気（外気、給気空気）と、室内側吸込口６から導入される汚染された室内空気（排気空気）は、給気ファン１２と排気ファン１３との運転によりそれぞれ給気風路８と排気風路９とを流れる。
【００１３】
給気ファン１２は、給気モータ１０により駆動され、室外側吸込口５から吸い込んだ給気空気を所定の給気風量で給気風路８を通して室内側吹出口７へ導くものである。室内側吹出口７へ導かれた空気は室内へ供給される。一方、排気ファン１３は、排気モータ１１により駆動され、室内側吸込口６から吸い込んだ排気空気を所定の排気風量で排気風路９を通して室外側吹出口４へ導くものである。室外側吹出口４へ導かれた空気は、室外に排気される。
【００１４】
給気風路８と排気風路９とが交差する位置には、熱交換素子１４が配置される。熱交換素子１４は、本発明の熱交換部を構成するものであり、給気風路８を通過する給気空気と、排気風路９を通過する排気空気との間で全熱交換方式による熱交換を行う。熱交換素子１４により、排気される空気の全熱（温度及び湿度）が給気される空気に供給される、または、給気される空気の全熱が排気される空気に供給される。なお、本発明において、熱交換素子１４は必ずしも必須の構成ではなく、熱交換素子１４が設けられていなくてもよい。
【００１５】
室外側吸込口５には、給気フィルタ１５が設けられている。給気フィルタ１５は、野外空気に含まれるごみや砂塵、埃、虫等を取り除き、これらが室内へ導入されないようにするためのものである。
【００１６】
給排型換気装置１には、筐体２の外面上に、又は、筐体２から離れた位置に、報知部２２と完了入力受付部２３とが設けられている。報知部２２は、例えば発光ダイオードにより構成され、給気フィルタ１５が目詰まりのときは発光ダイオードを点灯させ、目詰まりでないときは発光ダイオードを消灯させることで、給気フィルタ１５が目詰まりである旨を報知する。
【００１７】
完了入力受付部２３は、例えば押下型のスイッチにより構成される。使用者又はメンテナンス作業者が給気フィルタ１５のメンテナンスを完了した場合に完了入力受付部２３の押下型スイッチを押下操作することにより、給気フィルタ１５のメンテナンスが完了した旨の入力が給排型換気装置１にて受け付けられる。
【００１８】
給排型換気装置１の内部または外部には、給排型換気装置１の動作を制御する制御部２０が設けられている。制御部２０は、例えば、給気風量が一定となるように、給気ファン１２の給気モータ１０の電流（電流値）及び／又は回転数を調整する風量一定制御を実行する。また、制御部２０は、排気風量が一定となるように、排気ファン１３の排気モータ１１の電流（電流値）及び／又は回転数を調整する風量一定制御を実行する。
【００１９】
また、制御部２０は、図２を参照して後述する目詰まり判定処理を実行することにより、給気フィルタ１５の目詰まりの有無を判定する。制御部２０には、初期値記憶部２１が設けられている。初期値記憶部２１は、初期に給気風量が一定となるように調整された給気モータ１０の電流及び／又は回転数を初期値として記憶する。その初期値の設定は、目詰まり判定処理の一処理であり、図３を参照して後述する初期値設定処理を制御部２０が実行することによって行われる。詳細については後述するが、制御部２０は、再度風量が一定となるように調整された給気モータ１０の電流及び／又は回転数と初期値記憶部２１に記憶された電流及び／又は回転数の初期値との差を判定することにより、給気フィルタ１５の目詰まり判定を行う。
【００２０】
次いで、図２を参照して、制御部２０にて実行される目詰まり判定処理について説明する。図２は、その目詰まり判定処理を示すフローチャートである。この目詰まり判定処理では、初期に給気風量が一定となるように調整された給気モータ１０の電流及び／又は回転数を初期値として設定する。そして、目詰まり判定処理では、再度風量が一定となるように調整された給気モータ１０の電流及び／又は回転数と初期値記憶部２１に記憶された電流及び／又は回転数の初期値との差を判定することにより、給気フィルタ１５の目詰まり判定を行う。
【００２１】
具体的には、目詰まり判定処理が実行されると、まず、初期値記憶部２１に給気モータ１０の電流及び／又は回転数の初期値が記憶されているか否かを判断する（Ｓ１）。その結果、初期値記憶部２１に給気モータ１０の電流及び／又は回転数の初期値が記憶されていなければ（Ｓ１：Ｎｏ）、給気モータ１０の初期状態へ移行し、初期値設定処理を実行する（Ｓ１１）。
【００２２】
一方、Ｓ１の処理の結果、初期値記憶部２１に給気モータ１０の電流及び／又は回転数の初期値が記憶されていれば（Ｓ１：Ｙｅｓ）、次いで、完了入力受付部２３により、給気フィルタ１５のメンテナンスが完了した旨の入力が受け付けられたかを判断する（Ｓ２）。その結果、完了入力受付部２３により、給気フィルタ１５のメンテナンスが完了した旨の入力が受け付けられたと判断される場合は（Ｓ２：Ｙｅｓ）、給気モータ１０の初期状態へ移行し、初期値設定処理を実行する（Ｓ１１）。
【００２３】
ここで、図３を参照して、初期値設定処理（Ｓ１１）の詳細について説明する。図３は、その初期値設定処理（Ｓ１１）を示すフローチャートである。初期値設定処置（Ｓ１１）は、初期に給気風量が一定となるように調整された給気モータ１０の電流及び／又は回転数を初期値として設定する処理である。
【００２４】
具体的には、この初期値設定処理（Ｓ１１）が実行されると、まず、初期値記憶部２１に記憶されている初期値をリセットし、また、報知部２２の発光ダイオードを消灯させて、給気フィルタ１５が目詰まりである旨の報知を終了する（Ｓ１２）。
【００２５】
次いで、初期値判断処理（Ｓ１１）は、排気モータ１１と給気モータ１０の運転を開始し（Ｓ１３）、給気風量が一定となるように調整された給気モータ１０の電流及び／又は回転数が安定したか否かを判断する（Ｓ１４）。そして、給気モータ１０の電流及び／又は回転数が不安定の間は（Ｓ１４：Ｎｏ）、Ｓ１４の処理を繰り返し、給気モータ１０の電流及び／又は回転数が安定したと判断されると（Ｓ１４：Ｙｅｓ）、Ｓ１５の処理へ移行する。即ち、Ｓ１４の処理によって、給気風量が一定となるように調整された給気モータ１０の電流及び／又は回転数が安定するまで待機される。
【００２６】
Ｓ１５の処理では、初期値記憶部２１のＮｏ．ｎに、そのときの給気モータ１０の電流及び／又は回転数を記憶し、Ｔ時間だけ待つ（Ｓ１５）。ここで、ｎは、Ｓ１５の処理のループ回数を示す変数であり、Ｓ１２の処理の初期値リセットに合わせて「１」に設定され、Ｓ１５の処理が行われる毎に「１」加算される。
【００２７】
Ｓ１５の処理の後、初期値判断処理（Ｓ１１）は、変数ｎが所定の繰り返し回数を示す固定値Ｎより大きいか否かを判断する（Ｓ１６）。その結果、変数ｎが固定値Ｎ以下である場合はＳ１４の処理へ戻る。そして、Ｓ１４及びＳ１５の処理を再び実行する。
【００２８】
一方、Ｓ１６の処理の結果、変数ｎが固定値Ｎより大きいと判断されると（Ｓ１６：Ｙｅｓ）、Ｓ１７の処理へ移行する。このとき、初期値記憶部２１には、初期の所定期間中に所定時間Ｔ毎に記憶された、給気風量が一定となるように調整された給気モータ１０の電流及び／又は回転数の計測データがＮ個存在している。Ｓ１７の処理では、Ｎ個の計測データ（Ｎｏ．１〜Ｎの計測データ）として初期値記憶部２１に記憶された各々の給気モータ１０の電流及び／又は回転数を平均する。そして、平均によって得られた電流及び／又は回転数を初期値ｒｐｍ＿ｉｖとして初期値記憶部２１に記憶する。Ｓ１７の処理の後、図２に示すＳ１の処理へ戻る。
【００２９】
図２に戻り、目詰まり判定処理の説明を続ける。Ｓ２の処理の結果、完了入力受付部２３により、給気フィルタ１５のメンテナンスが完了した旨の入力が受け付けられていなければ（Ｓ２：Ｎｏ）、目詰まり判定処理は、次いで給気モータ１０の電流及び／又は回転数を検出する（Ｓ３）。そして、目詰まり判定処理は、給気風量が一定となるように調整された給気モータ１０の電流及び／又は回転数が安定したか否かを判断する（Ｓ４）。
【００３０】
その結果、給気モータ１０の電流及び／又は回転数が不安定の間は（Ｓ４：Ｎｏ）、Ｓ４の処理を繰り返し、給気モータ１０の電流及び／又は回転数が安定したと判断されると（Ｓ４：Ｙｅｓ）、Ｓ５の処理へ移行する。即ち、Ｓ４の処理によって、給気風量が一定となるように調整された給気モータ１０の電流及び／又は回転数が安定するまで待機される。
【００３１】
Ｓ５の処理では、給気モータ１０の現在の電流及び／又は回転数ｒｐｍ＿ｎｏｗと、初期値記憶部２１に記憶された給気モータ１０の電流及び／又は回転数の初期値ｒｐｍ＿ｉｖとの差が、所定値より大きいか否かを判断する（Ｓ５）。そして、給気モータ１０の現在の電流及び／又は回転数ｒｐｍ＿ｎｏｗと、初期値記憶部２１に記憶された給気モータ１０の電流及び／又は回転数の初期値ｒｐｍ＿ｉｖとの差が、所定値より大きくなければ（Ｓ５：Ｎｏ）、Ｓ１の処理に戻る。一方、給気モータ１０の現在の電流及び／又は回転数ｒｐｍ＿ｎｏｗと、初期値記憶部２１に記憶された給気モータ１０の電流及び／又は回転数の初期値ｒｐｍ＿ｉｖとの差が、所定値より大きければ（Ｓ５：Ｙｅｓ）、報知部２２の発光ダイオードを点灯させて、給気フィルタ１５が目詰まりである旨の報知を行い（Ｓ６）、Ｓ１の処理へ戻る。
【００３２】
ここで、図４を参照し、Ｓ５の処理による給気フィルタ１５の目詰まり判定方法について説明する。図４は、給気ファン１２のＰ−Ｑ曲線と、給気ファン１２について風量一定制御を行った場合の給気モータ１０の電流及び／又は回転量の様子を示した図である。Ｐ−Ｑ曲線は、縦軸を静圧Ｐ、横軸を風量Ｑとして、給気ファン１２の性能を示したものである。
【００３３】
給気フィルタ１５の目詰まりが発生しておらず、また、給気モータ１０の電流及び／又は回転数が安定した状態にある場合、給気風量が一定となるように調整された給気モータ１０の電流／及び回転数ｒｐｍ＿ｎｏｗは、初期状態において給気風量が一定となるように調整された給気モータ１０の電流／及び回転数の初期値ｒｐｍ＿ｉｖから大きく変化しない。
【００３４】
一方、給気フィルタ１５に目詰まりが発生している場合、図５に示す通り、給気モータ１０の電流及び／又は回転数が安定した状態において、給気風量が一定となるように調整された給気モータ１０の電流／及び回転数ｒｐｍ＿ｎｏｗは、給気モータ１０の電流／及び回転数の初期値ｒｐｍ＿ｉｖよりも大きなものとなる。
【００３５】
そこで、Ｓ５の処理では、給気モータ１０の現在の電流及び／又は回転数ｒｐｍ＿ｎｏｗと、給気モータ１０の電流及び／又は回転数の初期値ｒｐｍ＿ｉｖとの差を判定することで、その差が所定値より大きい場合に給気フィルタ１５に目詰まりが発生していると判断できる。
【００３６】
そして、本実施形態では、給気モータ１０の電流及び／又は回転数の初期値ｒｐｍ＿ｉｖを設定する場合に、給気モータ１０の電流及び／又は回転数が安定するのを待つので、外風やドアの開閉等によって、局所的に給気モータ１０の電流及び／又は回転数が上昇したときの値が初期値として設定されることを抑制できる。また、本実施形態では、初期の所定期間中に、所定時間Ｔ毎に、給気モータ１０の電流及び／又は回転数を記憶し、その記憶された複数の電流及び／又は回転数を平均して得られた値を初期値として設定している。これにより、たとえ、記憶した給気モータ１０の電流及び／又は回転数の中に、外風やドアの開閉等の影響を受けたものが含まれたとしても、平均することによって、その影響を排除できる。よって、給気モータ１０の電流及び／又は回転数の初期値ｒｐｍ＿ｉｖを精度よく設定できるので、給気フィルタ１５の目詰まりの報知を精度よく行うことができる。
【００３７】
また、本実施形態では、完了入力受付部２３により、給気フィルタ１５のメンテナンスが完了した旨の入力が受け付けられたことを契機として、給気モータ１０が初期状態へ移行したと判断し、給気モータ１０の電流及び／又は回転数の初期値ｒｐｍ＿ｉｖの設定を行う。これにより、給気フィルタ１５のメンテナンスが行われる毎に、新たに給気モータ１０の電流及び／又は回転数の初期値ｒｐｍ＿ｉｖが設定される。よって、給気フィルタ１５のメンテナンスに伴い、静圧が変化した場合であっても、その変化後の静圧に合わせて給気フィルタ１５の目詰まりの報知を精度よく行うことができる。
【００３８】
また、本実施形態では、初期値記憶部２１に給気モータ１０の電流及び／又は回転数の初期値ｒｐｍ＿ｉｖが記憶されていない場合にも、給気モータ１０が初期状態へ移行したと判断し、給気モータ１０の電流及び／又は回転数の初期値ｒｐｍ＿ｉｖの設定を行う。これにより、初期値記憶部２１に初期値ｒｐｍ＿ｉｖを確実に記憶させておくことができるので、給気フィルタ１５の目詰まりの報知を確実に行うことができる。
【００３９】
なお、目詰まり判定処理において、Ｓ５の処理により給気フィルタ１５の目詰まりがあると判断された後、所定時間後に再度Ｓ５の判断処理を行うようにしてもよい。そして、Ｓ５の処理において、給気フィルタ１５の目詰まりがあるとの判断が所定回数繰り返された場合に、Ｓ６の処理を実行し、給気フィルタ１５が目詰まりである旨の報知を行うようにしてもよい。これにより、給気フィルタ１５の目詰まりが誤検知されることを抑制できる。
【００４０】
（第２実施形態）
次いで、図５〜図７を参照して第２実施形態に係る給排型換気装置１について説明する。第１実施形態に係る給排型換気装置１は、給気モータ１０の電流及び／又は回転数の初期値と現在値との差から給気フィルタ１５の目詰まりを判定する場合について説明した。これに対し、第２実施形態に係る給排型換気装置１は、給気モータ１０の電流及び／又は回転数の初期値と現在値との差に加え、排気モータ１１の電流及び／又は回転数の初期値と現在値との関係をも考慮して、から給気フィルタ１５の目詰まりを判定する。
【００４１】
以下、第２実施形態に係る給排型換気装置１について、第１実施形態に係る給排型換気装置１と相違する点を中心に説明する。第１実施形態に係る給排型換気装置１と同一の構成については、同一の符号を付し説明を省略する。
【００４２】
図５は、第２実施形態に係る給排型換気装置１の制御部２０により実行される目詰まり判定処理を示すフローチャートである。第２実施形態に係る目詰まり判定処理において、Ｓ１〜Ｓ５の各処理は、それぞれ第１実施形態に係る目詰まり判定処理のＳ１〜Ｓ５の処理と同一の処理である。一方、第２実施形態に係る目詰まり判定処理は、第１実施形態に係る目詰まり判定処理の初期値設定処理（Ｓ１１）に代えて、図６に示す初期値設定処理（Ｓ２１）を実行する。
【００４３】
ここで、図６を参照してその初期値設定処理（Ｓ２１）の詳細について説明する。図６は、初期値設定処理（Ｓ２１）を示すフローチャートである。この初期値設定処理（Ｓ２１）において、Ｓ１２，Ｓ１３，Ｓ１６の各処理は、それぞれ第１実施形態に係る初期値設定処理（Ｓ１１）のＳ１２，Ｓ１３，Ｓ１６の各処理と同一の処理である。
【００４４】
初期値設定処理（Ｓ２１）では、Ｓ１３の処理の後、Ｓ２２の処理へ移行する。Ｓ２２の処理では、給気風量が一定となるように調整された給気モータ１０の電流及び／又は回転数と、排気風量が一定となるように調整された排気モータ１１の電流及び／又は回転数とが安定したか否かを判断する（Ｓ２２）。
【００４５】
そして、給気モータ１０の電流及び／又は回転数と排気モータ１１の電流及び／又は回転数とが不安定である間は（Ｓ２２：Ｎｏ）、Ｓ２２の処理を繰り返し、給気モータ１０の電流及び／又は回転数と排気モータ１１の電流及び／又は回転数とが安定したと判断されると（Ｓ２２：Ｙｅｓ）、Ｓ２３の処理へ移行する。即ち、Ｓ２２の処理によって、給気風量が一定となるように調整された給気モータ１０の電流及び／又は回転数と、排気風量が一定となるように調整された排気モータ１１の電流及び／又は回転数とが安定するまで待機される。
【００４６】
なお、Ｓ２２の処理に代えて、第１実施形態の初期値設定処理（Ｓ１１）のＳ１４と同一の処理を実行してもよい。この場合は、給気風量が一定となるように調整された給気モータ１０の電流及び／又は回転数が安定するまで待機される。
【００４７】
Ｓ２３の処理では、初期値記憶部２１のＮｏ．ｎに、そのときの給気モータ１０の電流及び／又は回転数と排気モータ１１の電流及び／又は回転数とを記憶し、Ｔ時間だけ待つ（Ｓ２３）。ここで、ｎは、Ｓ２３の処理のループ回数を示す変数であり、Ｓ１２の処理の初期値リセットに合わせて「１」に設定され、Ｓ２３の処理が行われる毎に「１」加算される。
【００４８】
続くＳ１６の処理により、変数ｎが固定値Ｎより大きいと判断されると（Ｓ１６：Ｙｅｓ）、Ｓ２４の処理へ移行する。このとき、初期値記憶部２１には、初期の所定期間中に所定時間Ｔ毎に記憶された、給気風量が一定となるように調整された給気モータ１０の電流及び／又は回転数の計測データがＮ個存在し、また、排気風量が一定となるように調整された排気モータ１１の電流及び／又は回転数の計測データがＮ個存在している。
【００４９】
Ｓ２４の処理では、Ｎ個の計測データ（Ｎｏ．１〜Ｎの計測データ）として初期値記憶部２１に記憶された各々の給気モータ１０の電流及び／又は回転数を平均する。そして、平均によって得られた給気モータ１０の電流及び／又は回転数を初期値ＳＡ＿ｒｐｍ＿ｉｖとして初期値記憶部２１に記憶する（Ｓ２４）。
【００５０】
また、Ｎ個の計測データ（Ｎｏ．１〜Ｎの計測データ）として初期値記憶部２１に記憶された各々の排気モータ１１の電流及び／又は回転数を平均する。そして、平均によって得られた排気モータ１１の電流及び／又は回転数を初期値ＥＡ＿ｒｐｍ＿ｉｖとして初期値記憶部２１に記憶する（Ｓ２５）。Ｓ２５の処理の後、図５に示すＳ１の処理へ戻る。
【００５１】
図５に戻り、目詰まり判定処理の説明を続ける。Ｓ５の処理の結果、給気モータ１０の現在の電流及び／又は回転数ＳＡ＿ｒｐｍ＿ｎｏｗと、初期値記憶部２１に記憶された給気モータ１０の電流及び／又は回転数の初期値ＳＡ＿ｒｐｍ＿ｉｖとの差が、所定値より大きいと判断される場合（Ｓ５：Ｙｅｓ）、次いで、Ｓ３１の処理を実行する。
【００５２】
Ｓ３１の処理では、排気モータ１１の現在の電流及び／又は回転数ＥＡ＿ｒｐｍ＿ｎｏｗと、初期値記憶部２１に記憶された排気モータ１１の電流及び／又は回転数の初期値ＥＡ＿ｒｐｍ＿ｉｖとが等しいか否かを判断する（Ｓ３１）。ここでは、排気モータ１１の現在の電流及び／又は回転数ＥＡ＿ｒｐｍ＿ｎｏｗが、排気モータ１１の電流及び／又は回転数の初期値ＥＡ＿ｒｐｍ＿ｉｖを中心として所定範囲内に入っている場合に、それらが等しいと判断する。
【００５３】
そして、排気モータ１１の現在の電流及び／又は回転数ＥＡ＿ｒｐｍ＿ｎｏｗと、排気モータ１１の電流及び／又は回転数の初期値ＥＡ＿ｒｐｍ＿ｉｖとが等しくないと判断される場合は（Ｓ３１：Ｎｏ）、給気モータ１０の現在の電流及び／又は回転数ＳＡ＿ｒｐｍ＿ｎｏｗと、初期値記憶部２１に記憶された給気モータ１０の電流及び／又は回転数の初期値ＳＡ＿ｒｐｍ＿ｉｖとに生じた差が、外風やドア開閉等によるものであると判断できる。よって、そのままＳ１の処理へ戻る。
【００５４】
一方、Ｓ３１の処理の結果、排気モータ１１の現在の電流及び／又は回転数ＥＡ＿ｒｐｍ＿ｎｏｗと、排気モータ１１の電流及び／又は回転数の初期値ＥＡ＿ｒｐｍ＿ｉｖとが等しいと判断される場合は（Ｓ３１：Ｙｅｓ）、給気モータ１０の現在の電流及び／又は回転数ＳＡ＿ｒｐｍ＿ｎｏｗと、初期値記憶部２１に記憶された給気モータ１０の電流及び／又は回転数の初期値ＳＡ＿ｒｐｍ＿ｉｖとに生じた差が、給気フィルタ１５の目詰まりによるものであると判断できる。よって、この場合は、報知部２２の発光ダイオードを点灯させて、給気フィルタ１５が目詰まりである旨の報知を行い（Ｓ６）、Ｓ１の処理へ戻る。
【００５５】
ここで、図７を参照し、Ｓ５及びＳ３１の処理による給気フィルタ１５の目詰まり判定方法について説明する。給気フィルタ１５の目詰まりが発生しておらず、また、給気モータ１０の電流及び／又は回転数が安定した状態にある場合、図７（ａ）に示す通り、給気風量が一定となるように調整された給気モータ１０の電流／及び回転数ＳＡ＿ｒｐｍ＿ｎｏｗは、初期状態において給気風量が一定となるように調整された給気モータ１０の電流／及び回転数の初期値ＳＡ＿ｒｐｍ＿ｉｖから大きく変化しない。よって、Ｓ５の処理では、給気モータ１０の現在の電流及び／又は回転数ＳＡ＿ｒｐｍ＿ｎｏｗと、給気モータ１０の電流及び／又は回転数の初期値ＳＡ＿ｒｐｍ＿ｉｖとの差を判定し、その差が所定値以下である場合は、給気フィルタ１５に目詰まりが発生していないと判定する。
【００５６】
一方、給気フィルタ１５に目詰まりが発生している場合、給気モータ１０の電流及び／又は回転数が安定した状態において、給気風量が一定となるように調整された給気モータ１０の電流／及び回転数ＳＡ＿ｒｐｍ＿ｎｏｗは、給気モータ１０の電流／及び回転数の初期値ＳＡ＿ｒｐｍ＿ｉｖよりも大きなものとなる。ただし、給気フィルタ１５に目詰まりが発生していなくても、外風やドア開閉等が原因となって、給気モータ１０の電流／及び回転数ＳＡ＿ｒｐｍ＿ｎｏｗが、給気モータ１０の電流／及び回転数の初期値ＳＡ＿ｒｐｍ＿ｉｖよりも大きくなることがある。
【００５７】
しかしながら、給気モータ１０の電流／及び回転数ＳＡ＿ｒｐｍ＿ｎｏｗが給気モータ１０の電流／及び回転数の初期値ＳＡ＿ｒｐｍ＿ｉｖよりも大きくなった原因が、給気フィルタ１５に目詰まりによるものである場合、図７（ｂ）に示す通り、排気風量が一定となるように調整された排気モータ１１の電流／及び回転数ＥＡ＿ｒｐｍ＿ｎｏｗは、排気モータ１１の電流／及び回転数の初期値ＥＡ＿ｒｐｍ＿ｉｖから変化しない。
【００５８】
一方、給気モータ１０の電流／及び回転数ＳＡ＿ｒｐｍ＿ｎｏｗが給気モータ１０の電流／及び回転数の初期値ＳＡ＿ｒｐｍ＿ｉｖよりも大きくなった原因が、外風やドアの開閉等である場合、図７（ｃ）に示す通り、排気風量が一定となるように調整された排気モータ１１の電流／及び回転数ＥＡ＿ｒｐｍ＿ｎｏｗは、排気モータ１１の電流／及び回転数の初期値ＥＡ＿ｒｐｍ＿ｉｖから大きく変化する。
【００５９】
そこで、Ｓ５の処理で、給気モータ１０の現在の電流及び／又は回転数ＳＡ＿ｒｐｍ＿ｎｏｗと、給気モータ１０の電流及び／又は回転数の初期値ＳＡ＿ｒｐｍ＿ｉｖとの差が所定値より大きいと判定し、且つ、Ｓ３１の処理で、排気モータ１１の現在の電流及び／又は回転数ＥＡ＿ｒｐｍ＿ｎｏｗと、排気モータ１１の電流及び／又は回転数の初期値ＥＡ＿ｒｐｍ＿ｉｖとが等しいと判断される場合に、給気フィルタ１５に目詰まりが発生していると判断できる。
【００６０】
そして、本実施形態では、給気モータ１０の電流及び／又は回転数の初期値ＳＡ＿ｒｐｍ＿ｉｖ及び排気モータ１１の電流及び／又は回転数の初期値ＥＡ＿ｒｐｍ＿ｉｖを設定する場合に、給気モータ１０の電流及び／又は回転数及び排気モータ１１の電流及び／又は回転数が安定するのを待つ。これにより、外風やドアの開閉等によって、局所的に給気モータ１０の電流及び／又は回転数が上昇したときの値が初期値として設定されることを抑制できる。また、外風やドアの開閉等によって、局所的に排気モータ１１の電流及び／又は回転数が上昇したときの値が初期値として設定されることを抑制できる。
【００６１】
また、本実施形態では、初期の所定期間中に、所定時間Ｔ毎に、給気モータ１０の電流及び／又は回転数と排気モータ１１の電流及び／又は回転数を記憶する。そして、その記憶された複数の給気モータ１０の電流及び／又は回転数を平均して得られた値を給気モータ１０の初期値として設定し、複数の排気モータ１１の電流及び／又は回転数を平均して得られた値を排気モータ１１の初期値として設定する。これにより、たとえ、記憶した給気モータ１０の電流及び／又は回転数や、排気モータ１１の電流及び／又は回転数やの中に、外風やドアの開閉等の影響を受けたものが含まれたとしても、平均することによって、その影響を排除できる。よって、給気モータ１０の電流及び／又は回転数の初期値ＳＡ＿ｒｐｍ＿ｉｖと、排気モータ１１の電流及び／又は回転数の初期値ＥＡ＿ｒｐｍ＿ｉｖとを精度よく設定できるので、給気フィルタ１５の目詰まりの報知を精度よく行うことができる。
【００６２】
なお、目詰まり判定処理において、Ｓ５及びＳ３１の処理により給気フィルタ１５の目詰まりがあると判断された後、所定時間後に再度Ｓ５及びＳ３１の判断処理を行うようにしてもよい。そして、Ｓ５及びＳ３１の処理において、給気フィルタ１５の目詰まりがあるとの判断が所定回数繰り返された場合に、Ｓ６の処理を実行し、給気フィルタ１５が目詰まりである旨の報知を行うようにしてもよい。これにより、給気フィルタ１５の目詰まりが誤検知されることを抑制できる。
【００６３】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【産業上の利用可能性】
【００６４】
本発明に係る換気装置は、室内空気を屋外へ排出し、屋外空気を室内へ供給して室内の換気を行う換気装置として有効である。
【符号の説明】
【００６５】
１    給排型換気装置
２    筐体
４    室外側吹出口
５    室外側吸込口
６    室内側吸込口
７    室内側吹出口
８    給気風路
９    排気風路
１０    給気モータ
１１    排気モータ
１２    給気ファン
１３    排気ファン
１４    熱交換素子
１５    給気フィルタ
２０    制御部
２１    初期値記憶部
２２    報知部
２３    完了入力受付部
【図１】
2019090593.tif 000003
【図２】
2019090593.tif 000004
【図３】
2019090593.tif 000005
【図４】
2019090593.tif 000006
【図５】
2019090593.tif 000007
【図６】
2019090593.tif 000008
【図７】
2019090593.tif 000009